(57)【要約】【課題】医用画像作成業務におけるワークフローを統一的に管理したり、ワークフローの管理に用いられるワークリストを簡単に作成することのできる医用画像作成業務管理方法及び装置を提供する。【解決手段】画像作成業務管理装置は、検査依頼情報が記録されるデータベース３２ａと、検査進行状況情報が記録されるデータベース３２ｃと、いずれかの装置から業務に関する第１の情報を含むワークリスト要求信号を受信し、第１の情報及び検査進行状況情報に基づいて検査依頼情報を検索することにより少なくとも１つの検査に関するワークリストを作成してこの装置に送信するワークリスト作成手段３１ｂと、この装置を用いて実施された業務に関する第２の情報を含む業務完了通知信号をこの装置から受信し、第２の情報に基づいて検査進行状況情報を更新する検査進行状況情報更新手段３１ａとを具備する。【選択図】  図２
2005070817.tif 000002
【特許請求の範囲】
【請求項１】
診断目的の撮影を行って画像データを生成する医用画像撮影システムにおいて、検査依頼情報に従って複数の装置を用いて行われる業務を管理する医用画像作成業務管理方法であって、
検査依頼情報を入力し、該検査依頼情報及びそれに関する検査進行状況情報を記録するステップ（ａ）と、
前記複数の装置の内のいずれかの装置から、前記装置を用いる業務に関する第１の情報を含むワークリスト要求信号を受信するステップ（ｂ）と、
第１の情報及び検査進行状況情報に基づいて検査依頼情報を検索することにより、前記装置を用いて一部の業務が実施可能な少なくとも１つの検査に関するワークリストを作成するステップ（ｃ）と、
ステップ（ｃ）において作成されたワークリストを前記装置に送信するステップ（ｄ）と、
前記装置を用いて実施された業務に関する第２の情報を含む業務完了通知信号を前記装置から受信するステップ（ｅ）と、
第２の情報に基づいて検査進行状況情報を更新するステップ（ｆ）と、
を具備する医用画像作成業務管理方法。
【請求項２】
ステップ（ｅ）に先立って、
ワークリストの中から選択された検査に関する選択検査通知信号を前記装置から受信するステップと、
選択検査通知信号に基づいて検査進行状況情報を更新するステップと、
をさらに具備する請求項１記載の医用画像作成業務管理方法。
【請求項３】
ワークリスト要求信号が、業務実施者情報又は使用装置情報をさらに含み、
ステップ（ｃ）が、第１の情報と、業務実施者情報又は使用装置情報と、検査進行状況情報とに基づいて、検査依頼情報を検索することを含む、請求項１又は２記載の医用画像作成業務管理方法。
【請求項４】
業務実施者情報が、実施者名情報又は業務実施権限情報をさらに含み、
ステップ（ｃ）が、第１の情報と、実施者名情報、業務実施権限情報又は使用装置情報と、検査進行状況情報とに基づいて、検査依頼情報を検索することを含む、請求項３記載の医用画像作成業務管理方法。
【請求項５】
検査依頼情報が、検査依頼元情報をさらに含み、
ステップ（ｃ）が、第１の情報と、検査進行状況情報と、検査依頼元情報とに基づいて、検査依頼情報を検索することを含む、請求項１又は２記載の医用画像作成業務管理方法。
【請求項６】
検査依頼情報が、緊急度又は業務完了予定日をさらに含み、ステップ（ｃ）が、第１の情報と、検査進行状況情報と、緊急度又は業務完了予定日とに基づいて、検査依頼情報を検索することを含む、請求項１又は２記載の医用画像作成業務管理方法。
【請求項７】
診断目的の撮影を行って画像データを生成する医用画像撮影システムにおいて、検査依頼情報及びそれに関する検査進行状況情報に従って医用画像作成業務管理装置が管理する医用画像作成業務を実施する医用画像作成業務管理方法であって、
検査依頼情報要求信号を前記医用画像作成業務管理装置に送信するステップ（ａ）と、
検査依頼情報要求信号に基づいて前記医用画像作成業務管理装置が送信する検査依頼情報及び検査進行状況情報を受信するステップ（ｂ）と、
実施すべき業務に関する第１の情報及び検査進行状況情報に基づいて検査依頼情報を検索することにより、一部の業務が実施可能な少なくとも１つの検査に関するワークリストを作成するステップ（ｃ）と、
実施した業務に関する第２の情報を含む業務完了通知信号を前記医用画像作成業務管理装置に送信するステップ（ｄ）と、
を具備する医用画像作成業務管理方法。
【請求項８】
業務完了通知信号が、第２の情報に基づいて更新された検査進行状況情報をさらに含む請求項７記載の医用画像作成業務管理方法。
【請求項９】
ステップ（ｄ）に先立って、
ワークリストの中から選択された検査に関する選択検査通知信号を前記医用画像作成業務管理装置に送信するステップをさらに具備する請求項７又は８記載の医用画像作成業務管理方法。
【請求項１０】
選択検査通知信号が、ワークリストの中から選択された検査に基づいて更新された検査進行状況情報をさらに含む、請求項９記載の医用画像作成業務管理方法。
【請求項１１】
ステップ（ｃ）が、第１の情報と、業務実施者情報又は使用装置情報と、検査進行状況情報とに基づいて、検査依頼情報を検索することを含む、請求項７〜１０のいずれか１項記載の医用画像作成業務管理方法。
【請求項１２】
業務実施者情報が、実施者名情報又は業務実施権限情報をさらに含み、
ステップ（ｃ）が、第１の情報と、実施者名情報、業務実施権限情報又は使用装置情報と、検査進行状況情報とに基づいて、検査依頼情報を検索することを含む、請求項１１記載の医用画像作成業務管理方法。
【請求項１３】
検査依頼情報が、検査依頼元情報をさらに含み、
ステップ（ｃ）が、第１の情報と、検査進行状況情報と、検査依頼元情報とに基づいて、検査依頼情報を検索することを含む、請求項７〜１０のいずれか１項記載の医用画像作成業務管理方法。
【請求項１４】
検査依頼情報が、緊急度又は業務完了予定日をさらに含み、
ステップ（ｃ）が、第１の情報と、検査進行状況情報と、緊急度又は業務完了予定日とに基づいて、検査依頼情報を検索することを含む、請求項７〜１０のいずれか１項記載の医用画像作成業務管理方法。
【請求項１５】
診断目的の撮影を行って画像データを生成する医用画像撮影システムにおいて、検査依頼情報に従って複数の装置を用いて行われる業務を管理する医用画像作成業務管理装置であって、
入力された検査依頼情報が記録される第１のデータベースと、
該検査依頼情報に関連する検査進行状況情報が記録される第２のデータベースと、
前記複数の装置の内のいずれかの装置から、前記装置を用いる業務に関する第１の情報を含むワークリスト要求信号を受信し、第１の情報及び検査進行状況情報に基づいて検査依頼情報を検索することにより、前記装置を用いて一部の業務が実施可能な少なくとも１つの検査に関するワークリストを作成して前記装置に送信するワークリスト作成手段と、
前記装置を用いて実施された業務に関する第２の情報を含む業務完了通知信号を前記装置から受信し、第２の情報に基づいて検査進行状況情報を更新する検査進行状況情報更新手段と、
を具備する医用画像作成業務管理装置。
【請求項１６】
診断目的の撮影を行って画像データを生成する医用画像撮影システムにおいて、検査依頼情報及びそれに関する検査進行状況情報に従って医用画像作成業務管理装置が管理する医用画像作成業務を実施する医用画像作成業務実施装置であって、
検査依頼情報要求信号を前記医用画像作成業務管理装置に送信し、検査依頼情報要求信号に基づいて前記医用画像作成業務管理装置が送信する検査依頼情報及び検査進行状況情報を受信し、実施すべき業務に関する第１の情報及び検査進行状況情報に基づいて検査依頼情報を検索することにより、一部の業務が実施可能な少なくとも１つの検査に関するワークリストを作成するワークリスト作成手段と、
実施した業務に関する第２の情報を含む業務完了通知信号を前記医用画像作成業務管理装置に送信する業務完了通知手段と、
を具備する医用画像作成業務実施装置。
【発明の詳細な説明】
【０００１】
【発明の属する技術分野】
本発明は、医用画像撮影システムにおいて、医用画像の撮影、確認、及び、読影等に用いられる各装置の業務を管理する医用画像作成業務管理方法に関する。さらに、本発明は、そのような方法を用いる医用画像作成業務管理装置、及び、医用画像作成業務実施装置に関する。
【０００２】
【従来の技術】
従来より、放射線（Ｘ線、α線、β線、γ線、電子線、紫外線等）を用いた撮影方法は様々な分野で利用されており、特に医療分野においては、診断のための最も重要な手段の一つとなっている。最初のＸ線写真が実現されてから、Ｘ線写真法は数々の改良を重ねられ、現在では蛍光スクリーンとＸ線フィルムを組み合わせた方法が主流となっている。一方、近年においては、医療用画像診断に用いられる装置として、Ｘ線ＣＴや超音波、ＭＲＩ等の様々なディジタル化された装置が実用化されており、病院内での診断情報処理システム等の構築が進められようとしている。Ｘ線画像についても、ディジタル化するための多くの研究がなされてきたが、輝尽性蛍光体を用いた放射線撮影方法が確立され、従来のＸ線写真法に置き換わるものとして注目されている。
【０００３】
輝尽性蛍光体（蓄積性蛍光体）とは、放射線を照射するとその放射線エネルギの一部が蓄積され、その後、可視光等の励起光を照射すると、蓄積されたエネルギに応じて輝尽発光する物質であり、その存在は従来から知られていた。これを用いた放射線撮影方法は、輝尽性蛍光体を塗布した記録シートに人体等の被写体の放射線画像を撮影記録し、この記録シートをレーザ光等の励起光で走査すると輝尽発光光が生じるので、この光を光電的に読み取ることにより画像データを得るものである。この画像データを適切に処理した後、ＣＲＴ等のディスプレイに出力したり、レーザプリンタ等によりフィルムに印刷して、放射線画像を可視画像として表示することができる。
【０００４】
このような放射線撮影方法は、撮影感度や画質の面で、従来のＸ線写真法に匹敵する性能を持っている。例えば、従来のＸ線写真法と比較して、露光域が極めて広く、また、露光量に対する輝尽発光光の応答が露光域全域に渡ってほぼ比例している。このため、被写体をどのような放射線量で撮影しても、画像の存在する発光域をとらえ、過不足なく正規化してディジタル信号化することができる。また、このようにして得た信号を適切な画像処理方法と組み合わせることにより、様々な撮影条件の下でも定常的に良質な画像を提供することが可能である。さらに、直接、ディジタル化された画像情報を得ているので、画像の劣化を招くことなく、大量のデータを長期保存することが可能になるばかりか、医療診断情報システムへの発展等も可能になる。
【０００５】
しかしながら、病院内での診断情報処理システム等に用いられる装置は多種多様であり、また、一般的に様々なメーカの装置が用いられる。そこで、現在は、様々なメーカの装置間で、画像及び他の医療情報をディジタル通信することを可能にする工業標準規格であるＤＩＣＯＭ（ｄｉｇｉｔａｌ  ｉｍａｇｉｎｇ  ａｎｄ  ｃｏｍｍｕｎｉｃａｔｉｏｎｓ  ｉｎ  ｍｅｄｉｃｉｎｅ）プロトコルを用いて、各装置間において、オンラインでデータの通信を行っている。
【０００６】
しかしながら、各装置の操作性は統一されていないことが多いため、誤操作を行う可能性がある。また、多種多様な装置の操作方法を修得するのに時間がかかることから、各装置の操作を容易にすることが可能なグローバルなシステムが望まれている。
【０００７】
関連する技術として、下記の特許文献１には、使用者が容易に操作することができ、単一の装置のみならず複数の装置を使用したグローバルなシステムにおける医療業務の流れを、適切且つ容易に把握することができる情報を迅速に提供することができる医療業務管理システムが述べられている。この医療業務管理システムにおいては、管理を対象とする部門内、病院内、あるいは病院間での医療業務の流れを定義するストリームを管理するストリーム制御モジュールを装備することで、グローバルなシステムにおける医療業務の流れを把握し、各装置を制御してストリームを実行している。
【０００８】
下記の特許文献２には、医学システムアーキテクチャにおいて、緊急報知の確実かつ迅速な受け入れによりワークフローを改善し得る医学システムアーキテクチャが述べられている。この医学システムアーキテクチャにおいては、Ｅメールアプリケーションを用意することにより、Ｅメールを用いて、ワークフローが相応に制御されるように、直ちに注意が払われ得る。
【０００９】
下記の特許文献３には、ＣＴ（ｃｏｍｐｕｔｅｄ  ｔｏｍｏｇｒａｐｈｙ：コンピュータ断層撮影）装置、ＭＲ（ｍａｇｎｅｔｉｃ  ｒｅｓｏｎａｎｃｅ：磁気共鳴）装置、ＣＲ（ｃｏｍｐｕｔｅｄ  ｒａｄｉｏｇｒａｐｈｙ：デジタルＸ線画像診断）装置など各種の医用診断画像撮影装置が出力する診断画像をデータネットワーク経由で管理することができる画像管理システムが述べられている。この画像管理システムによれば、ＣＲシステム関連情報管理層が、ＲＩＳ（ｒａｄｉｏｌｏｇｙ  ｉｎｆｏｒｍａｔｉｏｎ  ｓｙｓｔｅｍ：放射線科情報システム）情報とＣＲシステム情報からなるデータベースを構築して、このデータベースを介してＣＲシステムにおける診断画像の生成から診断に至るまでのプロセスの管理、及び、ＲＩＳへの検査実施状況のステータスの通知などを行うことができる。また、ＣＲシステム関連情報管理層が、ＲＩＳから検査ワークリストを取得して、モダリティ装置に対して検査情報の登録を行うことができる。
【００１０】
下記の特許文献４には、管理サーバから取得したワークリストが画像診断装置で使用されたものであるかどうかを判断し、画面上に判断結果を表示できる画像診断装置が述べられている。この画像診断装置においては、各画像診断装置が、管理サーバに対してワークリストを要求し、管理サーバは、要求に応じて、ワークリストを画像診断装置に返信する。これにより、画像診断装置において、行わなければならない検査を知ることができる。
【００１１】
下記の特許文献５には、リモート装置からワークリスト・データを検索するための方法が述べられている。このリモート装置からワークリスト・データを検索するための方法によれば、システム利用者は、イメージング・システム上でローカルの患者リストを作成することができ、また、このローカルの患者リストは、ワークリスト・メニュー上で閲覧することができるため、システム利用者は、ある検査について、ワークリストから任意の患者を選択することが可能である。
【００１２】
しかしながら、特許文献１〜５においては、医用画像作成業務におけるワークフローを管理したりワークリストを作成するための具体的な方法に関しては、何も述べられていない。
【００１３】
【特許文献１】
特開２００２−２０７８２４号公報（第３〜６頁、図１）
【特許文献２】
特開２００２−２１９１１９号公報（第３，４頁、図３）
【特許文献３】
特開２００２−１４０６８６号公報（第７頁、図３）
【特許文献４】
特開２００２−２１５８０９号公報（第３頁、図１）
【特許文献５】
特開２００１−２４９９８号公報（第７頁、図７）
【００１４】
【発明が解決しようとする課題】
そこで、上記の点に鑑み、本発明は、医用画像の撮影、確認、及び、読影等の医用画像作成業務におけるワークフローを統一的に管理したり、ワークフローの管理に用いられるワークリストを簡単に作成することのできる医用画像作成業務管理方法を提供し、さらに、そのような方法を用いる医用画像作成業務管理装置、及び、医用画像作成業務実施装置を提供することを目的とする。
【００１５】
【課題を解決するための手段】
上記課題を解決するため、本発明の第１の観点に係る医用画像作成業務管理方法は、診断目的の撮影を行って画像データを生成する医用画像撮影システムにおいて、検査依頼情報に従って複数の装置を用いて行われる業務を管理する医用画像作成業務管理方法であって、検査依頼情報を入力し、該検査依頼情報及びそれに関する検査進行状況情報を記録するステップ（ａ）と、複数の装置の内のいずれかの装置から、この装置を用いる業務に関する第１の情報を含むワークリスト要求信号を受信するステップ（ｂ）と、第１の情報及び検査進行状況情報に基づいて検査依頼情報を検索することにより、この装置を用いて一部の業務が実施可能な少なくとも１つの検査に関するワークリストを作成するステップ（ｃ）と、ステップ（ｃ）において作成されたワークリストをこの装置に送信するステップ（ｄ）と、この装置を用いて実施された業務に関する第２の情報を含む業務完了通知信号をこの装置から受信するステップ（ｅ）と、第２の情報に基づいて検査進行状況情報を更新するステップ（ｆ）とを具備する。
【００１６】
また、本発明の第２の観点に係る医用画像作成業務管理方法は、診断目的の撮影を行って画像データを生成する医用画像撮影システムにおいて、検査依頼情報及びそれに関する検査進行状況情報に従って医用画像作成業務管理装置が管理する医用画像作成業務を実施する医用画像作成業務管理方法であって、検査依頼情報要求信号を医用画像作成業務管理装置に送信するステップ（ａ）と、検査依頼情報要求信号に基づいて医用画像作成業務管理装置が送信する検査依頼情報及び検査進行状況情報を受信するステップ（ｂ）と、実施すべき業務に関する第１の情報及び検査進行状況情報に基づいて、検査依頼情報を検索することにより、一部の業務が実施可能な少なくとも１つの検査に関するワークリストを作成するステップ（ｃ）と、実施した業務に関する第２の情報を含む業務完了通知信号を医用画像作成業務管理装置に送信するステップ（ｄ）とを具備する。
【００１７】
また、本発明の第１の観点に係る医用画像作成業務管理装置は、診断目的の撮影を行って画像データを生成する医用画像撮影システムにおいて、検査依頼情報に従って複数の装置を用いて行われる業務を管理する医用画像作成業務管理装置であって、入力された検査依頼情報が記録される第１のデータベースと、該検査依頼情報に関連する検査進行状況情報が記録される第２のデータベースと、装置を用いて実施された業務に関する第１の情報を含む業務完了通知信号を装置から受信し、第１の情報に基づいて検査進行状況情報を更新する検査進行状況情報更新手段とを具備する。
【００１８】
また、本発明の第２の観点に係る医用画像作成業務実施装置は、診断目的の撮影を行って画像データを生成する医用画像撮影システムにおいて、検査依頼情報及びそれに関する検査進行状況情報に従って医用画像作成業務管理装置が管理する医用画像作成業務を実施する医用画像作成業務実施装置であって、検査依頼情報要求信号を医用画像作成業務管理装置に送信し、検査依頼情報要求信号に基づいて医用画像作成業務管理装置が送信する検査依頼情報及び検査進行状況情報を受信し、実施すべき業務に関する第１の情報及び検査進行状況情報に基づいて検査依頼情報を検索することにより、一部の業務が実施可能な少なくとも１つの検査に関するワークリストを作成するワークリスト作成手段と、実施した業務に関する第２の情報を含む業務完了通知信号を医用画像作成業務管理装置に送信する業務完了通知手段とを具備する。
【００１９】
本発明によれば、患者情報や検査情報を含む検査依頼情報に基づいて、ワークフローを統一的に管理し、また、ワークフローの管理に用いられるワークリストを簡単に作成できるので、医用画像作成業務の効率化を図ることが可能となる。
【００２０】
【発明の実施の形態】
以下、図面を参照しながら本発明の実施の形態について説明する。なお、同一の構成要素には同一の参照番号を付して、説明を省略する。
図１は、本発明の第１の実施形態に係る医用画像作成業務管理装置及び医用画像作成業務実施装置を含む医用画像撮影システムの構成を示すブロック図である。図１に示すように、この医用画像撮影システムは、病院情報管理システム（ｈｏｓｐｉｔａｌ  ｉｎｆｏｒｍａｔｉｏｎ  ｓｙｓｔｅｍ：ＨＩＳ）１と、受付端末２と、放射線科に設置された医用画像作成業務管理装置３、受付端末４、及び、各種の医用画像作成業務を実施する医用画像作成業務実施装置としての装置及び端末５ａ〜１２ｂと、診療科に設置された診療科端末１４とを、ネットワークＮ１を介して接続することにより構成される。
【００２１】
ＨＩＳ１は、病院全体の業務を管理するために用いられる。受付端末２は、病院の受付において、被検者である患者の氏名や患者ＩＤ等の患者情報を入力するために用いられる。なお、患者情報は、放射線科の受付端末４を用いて入力するようにしても良い。また、診療科の診療科端末１４を用いて、撮影部位等を表す撮影メニュー、検査ＩＤ、検査日、ＣＴやＭＲやＣＲ等の撮影機器に基づく検査種類、使用する医用画像撮影装置等の検査情報が入力される。
【００２２】
放射線科において、医用画像作成業務管理装置３は、放射線撮影を用いた検査に関する様々な業務の遂行を管理するために用いられる。放射線撮影の記録媒体として用いられる記録シート（輝尽性蛍光体シート）は、輝尽性蛍光体物質を塗布したものであり、放射線が照射されることにより被写体の情報が記録される。
【００２３】
放射線科には、被検者に放射線を照射して撮影を行うことにより記録シートに放射線画像を記録する医用画像撮影装置５ａ〜５ｄと、記録シートに記録されている放射線画像等の情報を光電的に読み取って画像データを生成する医用画像読取装置６と、医用画像読取装置６から画像データを入力して各種の処理を施す医用画像処理装置７と、医用画像処理装置７において処理が施された画像データを記録する画像サーバ８と、医療用診断画像及びその付帯情報を表示又は出力する画像確認端末９ａ〜９ｄとが設置されている。
【００２４】
さらに、放射線科には、撮影された放射線画像に関する撮影レポートを作成するために用いられるレポート作成端末１０ａ及び１０ｂと、撮影レポートを記録するレポートサーバ１１と、撮影レポートを表示又は出力するレポート確認端末１２ａ及び１２ｂとが設置されている。
【００２５】
放射線科において放射線撮影を行うことにより得られた画像データ及びその画像データに対応する患者情報等の付帯情報と、その放射線画像に関して作成された撮影レポートとは、診療科端末１４に送信され、診療科において、患者を診療するために使用される。
【００２６】
このような医用画像撮影システムにおいて、ＨＩＳ１は、電子カルテＤＢ（ｄａｔａ  ｂａｓｅ：データベース）１３を保有している。電子カルテＤＢ１３には、受付端末２、４又は診療科端末１４を用いて入力された患者情報及び検査情報や、診療科において診療時に作成されたカルテ情報等が登録されている。
【００２７】
放射線科に放射線撮影を依頼する際には、電子カルテＤＢ１３に登録されている患者情報及び検査情報に関連して、診療科端末１４を用いて、依頼科、依頼医師、緊急度、検査完了予定日等の依頼元情報が入力される。依頼元情報は、患者情報及び検査情報と共に、検査依頼情報として医用画像作成業務管理装置３に出力される。
【００２８】
また、各種の装置５ａ〜７、及び、端末９ａ〜１０ｂ、１２ａ、１２ｂは、ワークリスト要求信号を医用画像作成業務管理装置３に送信することにより、医用画像作成業務管理装置３から、患者情報及び検査情報の一覧で構成されるワークリストを受信し、オペレータは、そのワークリストの中から検査を選択して実施する。なお、ワークリスト要求信号には、実施業務情報、使用装置名情報、及び、実施者情報が含まれる。ここで、実施業務情報としては、撮影業務、画像確認業務、レポート作成業務、及び、レポート確認業務を表す情報が該当する。また、これら各種の装置５ａ〜７、及び、端末９ａ〜１０ｂ、１２ａ、１２ｂは、ワークリストから選択した検査を表す選択検査通知信号、及び、各業務の実施結果を表す検査結果情報を含む業務完了通知信号を医用画像作成業務管理装置３に送信する。
【００２９】
図２は、図１に示す医用画像作成業務管理装置の詳細な構成を示すブロック図である。図２に示すように、医用画像作成業務管理装置３は、中央演算装置（以下、ＣＰＵという）３１と、各種のＤＢ３２ａ〜３２ｆ、及び、ＣＰＵ３１に動作を行わせるためのソフトウェア（プログラム）３２ｇを記録する記録媒体としてのハードディスク３２と、ハードディスク制御部３３と、ネットワークインタフェース３４とを含んでいる。これらは、バスラインＢＬ１を介して相互に接続されている。また、ＣＰＵ３１及びハードディスク制御部３３は、バスラインＢＬ１及びネットワークインタフェース３４を介して、ネットワークＮ１に接続されている。
【００３０】
ここで、ハードディスク３２に記録される各種のＤＢとしては、検査依頼情報ＤＢ３２ａ、検査結果情報ＤＢ３２ｂ、検査進行状況情報ＤＢ３２ｃ、実施者情報ＤＢ３２ｄ、装置情報ＤＢ３２ｅ、及び、業務フロー情報ＤＢ３２ｆが該当する。なお、記録媒体としては、内蔵のハードディスク３２以外に、外付けハードディスク、フレキシブルディスク、ＭＯ、ＭＴ、ＲＡＭ、ＣＤ−ＲＯＭ、又は、ＤＶＤ−ＲＯＭ等を用いることもできる。
【００３１】
次に、ＣＰＵ３１とソフトウェア（プログラム）とによって構成される機能ブロック３１ａ及び３１ｂについて説明する。
データベース管理部３１ａは、各種のＤＢ３２ａ〜３２ｆを管理し、選択検査通知信号及び業務完了通知信号に基づいて、検査進行状況情報ＤＢ３２ｃの登録内容を更新する。ワークリスト作成部３１ｂは、各種のＤＢ３２ａ〜３２ｆに記録されている情報と、各種の装置５ａ〜７、及び、端末９ａ〜１０ｂ、１２ａ、１２ｂのいずれかから送信されるワークリスト要求信号とに基づいてワークリストを作成し、ＤＩＣＯＭ  ＭＷＭ（ｍｏｄａｌｉｔｙ  ｗｏｒｋｌｉｓｔ  ｍａｎａｇｅｍｅｎｔ：モダリティワークリスト管理）プロトコルを用いて、ワークリスト要求信号を送信した装置にワークリストを送信する。
【００３２】
ここで、データベース管理部３１ａによって、検査依頼情報が、検査依頼情報ＤＢ３２ａに登録され、また、その検査依頼情報に基づく検査の進行状況が、「未撮影」として検査進行状況ＤＢ３２ｃに登録される。また、各種の装置５ａ〜７、及び、端末９ａ〜１０ｂ、１２ａ、１２ｂから、ＤＩＣＯＭ  ＰＰＳ（ｐｅｒｆｏｒｍｅｄ  ｐｒｏｃｅｄｕｒｅ  ｓｔｅｐ：実行検査ステップ）プロトコルを用いて送信される検査結果情報が、検査結果情報ＤＢ３２ｂに登録される。
【００３３】
さらに、実施者情報ＤＢ３２ｄには、実施者によって業務及びその優先順位を決定するために用いられる情報が予め登録され、装置情報ＤＢ３２ｅには、装置によって業務を決定するために用いられる情報が予め登録されている。また、業務フロー情報ＤＢ３２ｆには、検査種類、依頼科、使用装置履歴等によって業務フロー及び業務の優先順位を決定するために用いられる情報が予め登録されている。
【００３４】
図３は、図１に示す医用画像撮影装置、医用画像読取装置、医用画像処理装置、及び、画像サーバの詳細な構成を示すブロック図である。なお、医用画像撮影装置の例として、輝尽性蛍光体物質を塗布した記録シートにＸ線撮影を行う医用画像撮影装置５ａについて説明する。
【００３５】
図３に示すように、医用画像撮影装置５ａは、記録シート１００の位置を上下に移動させることにより被検者における撮影位置を昇降させる撮影位置昇降機構５１と、被検者の足の位置を決める撮影台５２と、被検者に放射線を照射する放射線発生部５３と、与えられた撮影条件に従って放射線発生部５３等を制御する撮影制御部５４と、ワークリストを表示する表示部５５と、各種の命令を入力し、また、ワークリストから所望の検査を選択するために用いられる入力部５６とを含んでいる。撮影制御部５４は、ネットワークＮ１に接続されている。
【００３６】
放射線撮影に用いられる記録シート１００は、輝尽性蛍光体物質を塗布したものであり、放射線が照射されることにより被写体の情報が記録される。所定の撮影条件の下で被検者の放射線撮影が行われ、その放射線画像が記録シート１００に記録される。撮影後、記録シート１００は、医用画像読取装置６の所定の位置にセットされる。
【００３７】
医用画像読取装置６において、レーザ光源６１から出射した光ビームは、光走査部６２を通って記録シート１００の表面を走査する。この走査により光ビームが記録シート１００に照射され、光ビームが照射された箇所から蓄積記録された放射線画像情報に応じた光量の輝尽発光光が生じる。輝尽発光光は、フォトマルチプライヤ（光電子増倍管）６３により光電的に検出され、アナログ信号として出力されて増幅器６４により増幅され、Ａ／Ｄ変換器６５によりディジタル化される。このようにして生成された画像データが、制御部６６によって、画像付帯情報と共に、ネットワークＮ１を介して医用画像処理装置７に出力される。
【００３８】
医用画像処理装置７は、各種の命令や画像形式についての設定等を入力するための情報を表示する表示部７１と、各種の命令や画像形式についての設定等を入力するために用いられる入力部７２と、入力された画像データを処理すると共に、表示される画像形式を制御する処理部７３と、ネットワークインタフェース７４とを含んでいる。これらは、バスラインＢＬ２を介して相互に接続され、さらに、ネットワークインタフェース７４を介して、ネットワークＮ１に接続されている。
【００３９】
なお、図３に示す医用画像撮影装置５ａと同様に、医用画像撮影装置５ｂ〜５ｄ、画像確認端末９ａ〜９ｄ、レポート作成端末１０ａ、１０ｂ、及び、レポート確認端末１２ａ、１２ｂは、入力部及び表示部を含んでいる。
【００４０】
次に、このような医用画像撮影システムにおける１つの検査の業務フローについて説明する。図４は、１つの検査における業務の流れを表すフローチャートである。図４に示すように、ステップＳ１において、検査を受ける患者、検査内容、及び、検査依頼についての受付登録を行う。
【００４１】
ステップＳ２において、検査内容に基づいて、患者の放射線撮影を行い、被写体の情報を記録シートに記録する。ステップＳ３において、記録シートから画像データを読み取る。ステップＳ４において、画像データに所望の画像処理を行う。ステップＳ５において、撮影された画像の確認を行う。
【００４２】
ステップＳ６において、撮影された画像のレポートを作成する。ステップＳ７において、作成されたレポートの確認を行う。ステップＳ８において、撮影された画像に基づいて、患者の診療を行う。なお、検査内容によっては、ステップＳ３〜Ｓ７は省略される。また、図４においては１つの検査における業務の流れを示したが、一般に、複数の検査が並行して行われる。
【００４３】
次に、図５〜図１０を参照しながら、図４に示すステップＳ１〜Ｓ５における医用画像撮影システムの動作について説明する。
図５は、受付登録業務における受付端末及び医用画像作成業務管理装置の動作を示すフローチャートである。図５に示すように、受付登録業務においては、ステップＳ１１において、オペレータが、診療科端末１４を用いて患者情報、検査情報、及び、依頼情報を含む検査依頼情報を入力する。ステップＳ１２において、診療科端末１４は、検査依頼情報を医用画像作成業務管理装置３に送信する。
【００４４】
ステップＳ１３において、医用画像作成業務管理装置３のデータベース管理部３１ａは、検査依頼情報を検査依頼情報ＤＢ３２ａに登録する。ステップＳ１４において、データベース管理部３１ａは、検査依頼情報に基づく検査を「未撮影」として検査進行状況情報ＤＢ３２ｃに登録する。なお、各検査ごとに、同様の業務が行われる。
【００４５】
なお、図５においては、診療科の診療科端末１４を用いて入力された検査依頼情報を送信することにしたが、予め検査依頼情報を登録している電子カルテＤＢ１３に基づいて検査依頼情報を送信することにしても良い。
【００４６】
図６は、放射線撮影業務における医用画像撮影システム及び医用画像作成業務管理装置の動作を示すフローチャートであり、図７は、表示部に表示されるワークリストを示す図である。図６に示すように、撮影業務においては、ステップＳ２１において、撮影を実施する技師が入力部５６を用いて入力した撮影技師名情報と、撮影業務を表す実施業務情報と、撮影に用いる医用画像撮影装置名情報とに基づいて、医用画像撮影装置５ａがワークリスト要求信号を作成する。次に、ステップＳ２２において、医用画像撮影装置５ａが、ワークリスト要求信号を医用画像作成業務管理装置３に送信する。なお、技師名情報及び実施業務情報を入力した際に、自動的に医用画像撮影装置名情報を添付する設定となっている場合には、医用画像撮影装置名情報を入力する必要はない。
【００４７】
ステップＳ２３において、医用画像作成業務管理装置３のワークリスト作成部３１ｂは、ワークリスト要求信号、及び、各ＤＢ３２ａ〜３２ｆに登録されている情報に基づいて、放射線撮影業務を行うことが可能な検査の一覧で構成されるワークリストを作成する。次に、ステップＳ２４において、ワークリスト作成部３１ｂは、そのワークリストを、医用画像撮影装置５ａに送信する。放射線撮影業務のワークリストを作成する方法については後述する。
【００４８】
ステップＳ２５において、医用画像撮影装置５ａは、受信したワークリストを表示部５５に表示する。図７に示すように、ワークリスト選択画面には、患者名、患者ＩＤ、検査ＩＤ、検査内容の一覧、及び、選択ボタンが表示される。ステップＳ２６において、撮影技師は、入力部５６を用いて、一覧で表示された検査の内の１つを選び、選択ボタンを押下することにより、撮影業務を実施する検査を決定する。
【００４９】
ステップＳ２７において、医用画像撮影装置５ａの撮影制御部５４は、撮影技師によって選択された検査を表す選択検査通知信号を、医用画像作成業務管理装置３に送信する。ステップＳ２８において、医用画像作成業務管理装置３のデータベース管理部３１ａは、受信した選択検査通知信号に基づいて、検査進行状況情報ＤＢ３２ｃに記録されている検査の進行状況を「未撮影」又は「再撮影」から「撮影中」に更新する。「再撮影」の内容については後述する。
【００５０】
ステップＳ２９において、医用画像撮影装置５ａが、選択された検査の内容に基づいて放射線撮影を行うことにより、記録シートに放射線画像を記録する。また、医用画像読取装置６が、記録シートに記録されている放射線画像等の情報を光電的に読み取って画像データを生成する。さらに、医用画像処理装置７が、医用画像読取装置６から画像データを入力して各種の処理を施し、処理が施された画像データを画像サーバ８に記録する。
【００５１】
ステップＳ３０において、医用画像撮影装置５ａの撮影制御部５４は、選択された検査に関する放射線撮影を実施したことを表す検査結果情報を含む業務完了通知信号を、医用画像作成業務管理装置３に送信する。又は、医用画像処理装置７が、その検査に関する画像データ、及び、付帯情報として画像データに付された患者名、患者ＩＤ、検査ＩＤ、及び、検査内容等を記録したことを表す検査結果情報を含む業務完了通知信号を、医用画像作成業務管理装置３に送信する。
【００５２】
ステップＳ３１において、医用画像作成業務管理装置３のデータベース管理部３１ａは、受信した業務完了通知信号に基づいて、検査進行状況情報ＤＢ３２ｃに記録されている検査の進行状況を「撮影中」から「撮影完了」に更新する。なお、技師の権限によっては、「撮影中」となっている検査の進行状況を「画像確認完了」に更新する。技師の権限及び検査の進行状況の変更については後述する。
【００５３】
図８は、画像確認業務における画像確認端末及び医用画像作成業務管理装置の動作を示すフローチャートである。図８に示すように、画像確認業務においては、ステップＳ４１において、画像確認を実施する技師が画像確認端末９ａを用いて入力した、画像確認技師名情報と、画像確認業務を表す実施業務情報と、画像確認に用いる画像確認端末名情報とに基づいて、画像確認端末９ａがワークリスト要求信号を作成する。ステップＳ４２において、画像確認端末９ａが、ワークリスト要求信号を医用画像作成業務管理装置３に送信する。なお、技師名情報及び実施業務情報を入力した際に、自動的に画像確認端末名情報を添付する設定となっている場合には、画像確認端末名情報を入力する必要はない。
【００５４】
ステップＳ４３において、医用画像作成業務管理装置３のワークリスト作成部３１ｂは、ワークリスト要求信号、及び、各ＤＢ３２ａ〜３２ｆに登録されている情報に基づいて、画像確認業務を行うことが可能な検査の一覧で構成されるワークリストを作成する。ステップＳ４４において、ワークリスト作成部３１ｂは、そのワークリストを、画像確認端末９ａに送信する。画像確認業務のワークリストを作成する方法については後述する。
【００５５】
ステップＳ４５において、画像確認端末９ａは、受信したワークリストを表示部に表示する。ステップＳ４６において、画像確認技師は、入力部を用いて、一覧で表示された検査の内の１つを選択し、画像確認業務を実施する検査を決定する。ステップＳ４７において、画像確認端末９ａは、画像確認技師によって選択された検査を表す選択検査通知信号を、医用画像作成業務管理装置３に送信する。ステップＳ４８において、医用画像作成業務管理装置３のデータベース管理部３１ａは、受信した選択検査通知信号に基づいて、検査進行状況情報ＤＢ３２ｃに記録されている検査の進行状況を「画像記録完了」から「画像確認中」に更新する。
【００５６】
ステップＳ４９において、画像確認技師が、表示部に表示された画像を確認して、その放射線画像を承認するか、再撮影の必要があるかについて判断する。ステップＳ５０において、画像確認技師が、画像確認端末９ａを用いて、判断結果を入力する。ステップ５１において、画像確認端末９ａは、選択された検査に関する判断結果を表す検査結果情報を含む業務完了通知信号を、医用画像作成業務管理装置３に送信する。
【００５７】
ステップＳ５２において、医用画像作成業務管理装置３のデータベース管理部３１ａは、受信した業務完了通知信号に基づいて、検査進行状況情報ＤＢ３２ｃに記録されている検査の進行状況を、その放射線画像が承認された場合には「画像確認中」から「画像確認完了」に更新し、再撮影の必要がある場合には「画像確認中」から「再撮影」に更新する。
【００５８】
図９は、レポート作成業務におけるレポート作成端末及び医用画像作成業務管理装置の動作を示すフローチャートである。図９に示すように、レポート作成業務においては、ステップＳ６１において、レポートを作成する医師がレポート作成端末１０ａを用いて入力した、レポート作成医師名情報と、レポート作成業務を表す実施業務情報と、レポート作成に用いるレポート作成端末名情報とに基づいて、レポート作成端末１０ａがワークリスト要求信号を作成する。ステップＳ６２において、レポート作成端末１０ａが、ワークリスト要求信号を医用画像作成業務管理装置３に送信する。なお、医師名情報及び実施業務情報を入力した際に、自動的にレポート作成端末名情報を添付する設定となっている場合には、レポート作成端末名情報を入力する必要はない。
【００５９】
ステップＳ６３において、医用画像作成業務管理装置３のワークリスト作成部３１ｂは、ワークリスト要求信号、及び、各ＤＢ３２ａ〜３２ｆに登録されている情報に基づいて、レポート作成業務を行うことが可能な検査の一覧で構成されるワークリストを作成する。ステップＳ６４において、ワークリスト作成部３１ｂは、そのワークリストを、レポート作成端末１０ａに送信する。レポート作成業務のワークリストを作成する方法については後述する。
【００６０】
ステップＳ６５において、レポート作成端末１０ａは、受信したワークリストを表示部に表示する。ステップＳ６６において、レポート作成医師は、入力部を用いて、一覧で表示された検査の内の１つを選択し、レポート作成業務を実施する検査を決定する。ステップＳ６７において、レポート作成端末１０ａは、レポート作成医師によって選択された検査を表す選択検査通知信号を、医用画像作成業務管理装置３に送信する。ステップＳ６８において、医用画像作成業務管理装置３のデータベース管理部３１ａは、受信した選択検査通知信号に基づいて、検査進行状況情報ＤＢ３２ｃに記録されている検査の進行状況を「画像確認完了」又は「再レポート作成」から「レポート作成中」に更新する。「再レポート作成」の内容については後述する。
【００６１】
ステップＳ６９において、レポート作成医師が、表示部に表示された放射線画像を読影して、その放射線画像に関してレポートを作成する。ステップＳ７０において、レポート作成端末１０ａは、選択された検査に関するレポート作成を実施したことを表す検査結果情報を含む業務完了通知情報を医用画像作成業務管理装置３に送信する。ステップＳ７１において、医用画像作成業務管理装置３のデータベース管理部３１ａは、受信した業務完了通知信号に基づいて、検査進行状況情報ＤＢ３２ｃに記録されている検査の進行状況を「レポート作成中」から「レポート作成完了」に更新する。また、医師の権限によっては、「レポート作成中」となっている検査の進行状況を「レポート確認完了」に更新する。「レポート確認完了」の内容については後述する。
【００６２】
図１０は、レポート確認業務におけるレポート確認端末及び医用画像作成業務管理装置の動作を示すフローチャートである。図１０に示すように、レポート確認業務においては、ステップＳ８１において、レポート確認を実施する医師がレポート確認端末１２ａを用いて入力した、レポート確認医師名情報と、レポート確認業務を表す実施業務情報と、レポート確認に用いるレポート確認端末名情報とに基づいて、レポート確認端末１２ａがワークリスト要求信号を作成する。ステップＳ８２において、レポート確認端末１２ａが、ワークリスト要求信号を医用画像作成業務管理装置３に送信する。なお、医師名情報及び実施業務情報を入力した際に、自動的にレポート確認端末名情報を添付する設定となっている場合には、レポート確認端末名情報を入力する必要はない。
【００６３】
ステップＳ８３において、医用画像作成業務管理装置３のワークリスト作成部３１ｂは、ワークリスト要求信号、及び、各ＤＢ３２ａ〜３２ｆに登録されている情報に基づいて、レポート確認業務を行うことが可能な検査の一覧で構成されるワークリストを作成する。ステップＳ８４において、ワークリスト作成部３１ｂは、そのワークリストを、レポート確認端末１２ａに送信する。レポート確認業務のワークリストを作成する方法については後述する。
【００６４】
ステップＳ８５において、レポート確認端末１２ａは、受信したワークリストを表示部に表示する。ステップＳ４６において、レポート確認医師は、入力部を用いて、一覧で表示された検査の内の１つを選択し、レポート確認業務を実施する検査を決定する。ステップＳ８７において、レポート確認端末１２ａは、レポート確認医師によって選択された検査を表す選択検査通知信号を、医用画像作成業務管理装置３に送信する。ステップＳ８８において、医用画像作成業務管理装置３のデータベース管理部３１ａは、受信した選択検査通知信号に基づいて、検査進行状況情報ＤＢ３２ｃに記録されている検査の状況を「レポート作成完了」から「レポート確認中」に更新する。
【００６５】
ステップＳ８９において、レポート確認医師が、表示部に表示されたレポートを確認して、そのレポートを承認するか、再レポート作成の必要があるかについて判断する。ステップＳ９０において、レポート確認医師が、レポート確認端末１２ａを用いて、判断結果を入力する。ステップＳ９１において、レポート確認端末１２ａは、選択された検査に関する判断結果を表す検査結果情報を含む業務完了通知情報を、医用画像作成業務管理装置３に送信する。ステップＳ９２において、医用画像作成業務管理装置３のデータベース管理部３１ａは、受信した業務完了通知信号に基づいて、検査進行状況情報ＤＢ３２ｃに記録されている検査の進行状況を、そのレポートが承認された場合には「レポート確認中」から「レポート確認完了」に更新し、再レポート作成の必要がある場合には「レポート確認中」から「再レポート作成」に更新する。レポートの確認が完了した検査は、ワークリストとして診療科に送信され、診療科においては、そのワークリストに基づいて診療が行われる。
【００６６】
次に、各ＤＢに登録される情報について説明する。図１１に、検査依頼情報ＤＢに登録される情報を示す。図１１に示すように、検査依頼情報ＤＢ３２ａには、患者名、患者ＩＤ、検査ＩＤ、検査種類、撮影部位、医用画像撮影装置、依頼科、依頼医師、緊急度、及び、検査完了予定日が登録される。ここで、医用画像撮影装置については、依頼科又は依頼医師により、使用する医用画像撮影装置の指定がある場合に登録される。また、緊急度は、緊急の場合に、数値等で緊急度を表す。
【００６７】
図１２に、検査結果情報ＤＢに登録される情報を示す。図１２に示すように、検査結果情報ＤＢ３２ｂには、患者ＩＤで示される患者、及び、検査ＩＤで示される検査の実施において、検査に使用した装置、検査の実施者、検査結果等が登録される。
【００６８】
図１３に、検査進行状況情報ＤＢに登録される情報を示す。図１３に示すように、検査進行状況情報ＤＢ３２ｃには、検査における業務の進行状況が登録又は更新されて管理される。
【００６９】
図１４に、実施者情報ＤＢに登録される情報を示す。図１４に示すように、実施者情報ＤＢ３２ｄには、各実施者の業務実施権限が登録される。ここで、技師Ｆの権限として「単純Ｘ線撮影」及び「胸部単純Ｘ線承認」、技師Ｇの権限として「ＣＴ承認」及び「単純Ｘ線撮影」、技師Ｈの権限として「ＭＲ撮影」及び「ＭＲ内科承認」が登録されている。
【００７０】
また、医師Ａの権限として「単純Ｘ線読影」及び「胸部単純読影承認」、医師Ｂの権限として「ＣＴ読影承認」及び「単純Ｘ線読影」、医師Ｃの権限として「ＭＲ読影承認」及び「ＭＲ内科読影承認」、医師Ｄの権限として「ＣＴ読影」、「ＭＲ読影」及び「ＣＲ読影」が登録されている。
【００７１】
なお、「単純Ｘ線撮影」の権限とは、単純Ｘ線を用いて撮影を行うことができる権限を表し、「胸部単純Ｘ線承認」の権限とは、単純Ｘ線を用いて撮影された胸部の画像を確認し、承認することができる権限を表す。「ＣＴ承認」の権限とは、ＣＴを用いて撮影された画像を確認し、承認することができる権限を表し、「ＭＲ撮影」の権限とは、ＭＲを用いて撮影を行うことができる権限を表し、「ＭＲ内科承認」の権限とは、内科から依頼され、ＭＲを用いて撮影した画像を確認し、承認することができる権限を表す。
【００７２】
また、「単純Ｘ線読影」の権限とは、単純Ｘ線を用いて撮影された画像を読影し、レポートを作成することのできる権限を表し、「胸部単純Ｘ線読影承認」の権限とは、単純Ｘ線を用いて撮影された胸部の画像のレポートを確認し、承認することができる権限を表す。「ＣＴ読影承認」の権限とは、ＣＴを用いて撮影された画像のレポートを確認し、承認することができる権限を表し、「ＭＲ読影承認」の権限とは、ＭＲを用いて撮影された画像のレポートを確認し、承認することができる権限を表し、「ＭＲ内科読影承認」の権限とは、内科から依頼され、ＭＲを用いて撮影した画像のレポートを確認し、承認することができる権限を表す。
【００７３】
さらに、「ＣＴ読影」の権限とは、ＣＴを用いて撮影された画像を読影し、レポートを作成することのできる権限を表し、「ＭＲ読影」の権限とは、ＭＲを用いて撮影された画像を読影してレポートを作成することのできる権限を表し、「ＣＲ読影」の権限とは、ＣＲを用いて撮影された画像を読影してレポートを作成することのできる権限を表す。
【００７４】
図１５に、装置情報ＤＢに登録される情報を示す。図１５に示すように、装置情報ＤＢ３２ｅには、各装置の機能が登録される。ここで、医用画像撮影装置装置５ａの機能として「単純Ｘ線撮影」が登録され、医用画像撮影装置５ｂの機能として「単純Ｘ線撮影」が登録され、医用画像撮影装置５ｃの機能として「ＭＲ撮影」が登録され、医用画像撮影装置５ｄの機能として「ＣＴ撮影」が登録されている。
【００７５】
また、画像確認端末９ａの機能として「ＣＴ撮影確認」及び「ＭＲ撮影確認」が登録され、画像確認端末９ｂの機能として「単純Ｘ線撮影確認」が登録され、画像確認端末９ｃの機能として「乳房単純Ｘ線撮影確認」が登録され、画像確認端末９ｄの機能として「内科ＭＲ撮影確認」が登録されている。さらに、レポート作成端末１０ａ及び１０ｂの機能として「レポート作成」が登録され、レポート確認端末１２ａ及び１２ｂの機能として「レポート確認」が登録されている。
【００７６】
なお、「単純Ｘ線撮影」とは、単純Ｘ線を用いて撮影することができる機能を表し、「ＭＲ撮影」とは、ＭＲを用いて撮影することができる機能を表し、「ＣＴ撮影」とは、ＣＴを用いて撮影することができる機能を表す。「ＣＴ撮影確認」とは、ＣＴを用いて撮影された画像を確認することができる機能を表し、「ＭＲ撮影確認」とは、ＭＲを用いて撮影された撮影された画像を確認することができる機能を表す。
【００７７】
また、「単純Ｘ線撮影確認」とは、単純Ｘ線を用いて撮影された画像を確認することができる機能を表し、「乳房単純Ｘ線撮影確認」とは、単純Ｘ線を用いて撮影された乳房の画像を確認することができる機能を表し、「内科ＭＲ撮影確認」とは、内科から依頼され、ＭＲを用いて撮影した画像を確認することができる機能を表す。さらに、「レポート作成」とは、撮影された画像を読影してレポートを作成することができる機能を表し、「レポート確認」とは、作成されたレポートを確認することができる機能を表す。
【００７８】
また、業務フロー情報ＤＢ３２ｆには、検査種類がＣＴであるか、検査種類がＭＲであるか、依頼科が内科であるか、又は、検査種類が単純Ｘ線且つ依頼科が脳外科である場合には、レポート作成業務を行うこと等の検査種類及び依頼科によって業務フローを変えるための情報が登録されている。医用画像撮影装置９ｂを用いて撮影業務を行った場合には、画像確認業務は行わない等の使用装置履歴によって業務フローを変えるための情報が登録されている。
【００７９】
次に、放射線撮影業務におけるワークリストを作成する方法について説明する。ワークリストには、業務内容を表す実施業務情報、業務を実施する実施者情報、及び、業務の実施に用いられる装置名情報が含まれており、ワークリスト作成部３１ｂは、ワークリスト要求信号に含まれる実施業務情報に基づいて、撮影業務、画像確認業務、レポート作成業務、又は、レポート確認業務のワークリストの作成を開始する。
【００８０】
図１６は、図２に示すワークリスト作成部の動作を示すフローチャートである。まず、ステップＳ１０１において、検査進行状況情報ＤＢ３２ｃに登録されている検査の内で、進行状況が「未撮影」又は「再撮影」となっている検査を検索する。例えば、検査進行状況情報ＤＢ３２ｃに登録されている検査が図１３に示すものである場合には、進行状況が「再撮影」となっている患者ＩＤ「１３５７９」、検査ＩＤ「３３９９１０」の検査が検索される。
【００８１】
次に、ステップＳ１０２において、撮影を実施する技師名情報に基づいて、ステップＳ１０１において検索された検査の内で、撮影を実施する技師に許された権限内の検査を検索する。例えば、実施者情報ＤＢ３２ｄに登録された実施者が図１４に示すものである場合において、技師名情報が「技師Ｆ」である場合には、撮影業務における技師Ｆの権限は「単純Ｘ線撮影」となる。
【００８２】
また、ステップＳ１０１において検索された検査の検査内容を、図１１に示す検査依頼情報ＤＢ３２ａにおいて読み出す。例えば、患者ＩＤ「１３５７９」、検査ＩＤ「３３９９１０」の検査の場合には、検査種類「単純Ｘ線」、撮影部位「腹部」等が読み出される。
【００８３】
ここで、技師Ｆの権限が「単純Ｘ線撮影」であり、患者ＩＤ「１３５７９」、検査ＩＤ「３３９９１０」の検査の検査種類が「単純Ｘ線」であるため、ステップＳ１２において、患者ＩＤ「１３５７９」、検査ＩＤ「３３９９１０」の検査が検索される。
【００８４】
次に、ステップＳ１０３において、撮影に用いる医用画像撮影装置名情報に基づいて、ステップＳ１０２において検索された検査の内で、医用画像撮影装置の有する機能で実施可能な検査を検索する。例えば、装置情報ＤＢ３２ｅに登録されている装置が図１５に示すものである場合において、医用画像撮影装置５ａの有する機能は「単純Ｘ線撮影」となっている。患者ＩＤ「１３５７９」、検査ＩＤ「３３９９１０」の検査の検査種類も「単純Ｘ線」であるから、ステップＳ１０３において、医用画像撮影装置５ａのために、患者ＩＤ「１３５７９」、検査ＩＤ「３３９９１０」の検査が検索される。
【００８５】
一方、図１１に示すように、患者ＩＤ「４５６７８」、検査ＩＤ「３１３９９０」の検査については、検査種類は「単純Ｘ線」であるが、医用画像撮影装置が「５ｂ」であるため、ワークリスト要求信号に含まれる医用画像撮影装置名情報が「５ａ」である場合には、患者ＩＤ「４５６７８」、検査ＩＤ「３１３９９０」の検査は検索されない。
【００８６】
このようにして、ステップＳ１０１〜Ｓ１０３において、ワークリストの一覧を構成する検査が検索される。さらに、ステップＳ１０４において、優先順位により検査を並べ替える。
【００８７】
検査の並べ替えは、各項目ごとに設定され、数値化された優先レベルを合計することにより行われる。図１７に、項目ごとに設定された優先レベルの一例を示す。図１７の（Ａ）に示すように、依頼科により優先レベルを設定する。ここでは、整形外科の優先レベルを「５０」、内科の優先レベルを「２０」、その他の優先レベルを「０」としている。
【００８８】
また、図１７の（Ｂ）に示すように、使用する装置により優先レベルを設定する。ここでは、ＭＲの優先レベルを「５０」、ＣＴの優先レベルを「３０」、その他の優先レベルを「０」としている。
【００８９】
その結果、図１７の（Ｃ）に示すように、検査内容により、各項目の優先レベルを合計した優先レベルが設定され、これにより検査内容による表示順が決定される。なお、これら各項目の優先レベルは、業務フロー情報ＤＢ３２ｆに登録される。また、検査依頼情報ＤＢ３２ａに登録されている緊急度、及び、検査完了予定日の情報を含めて優先レベルを設定しても良い。
【００９０】
画像確認業務のワークリストの作成については、図１６のステップＳ１０１において、検査進行状況情報ＤＢ３２ｃに登録された検査の内で、進行状況が「画像記録完了」となっている検査を検索すること以外は、図１６を参照しながら説明したものと同様である。
【００９１】
レポート作成業務のワークリスト作成については、図１６のステップＳ１０１において、検査進行状況情報ＤＢ３２ｃに登録された検査の内で、進行状況が「画像確認完了」又は「レポート再作成」となっている検査を検索すること以外は、図１６を参照しながら説明したものと同様である。
【００９２】
レポート確認業務のワークリスト作成については、図１６のステップＳ１０１において、検査進行状況情報ＤＢ３２ｃに登録された検査の内で、進行状況が「レポート作成完了」となっている検査を検索すること以外は、図１６を参照しながら説明したものと同様である。
【００９３】
また、実施者が複数の権限を有する場合に、検査の一覧表示画面において、一覧表示された検査の内で、特定の権限内における検査のみを表示させるワークリストフィルタ機能を付してもよい。
【００９４】
図１８は、ワークリストフィルタ機能を説明するための図である。図１８の（Ａ）に示すように、「ＣＴ読影」の権限、「ＭＲ読影」の権限、及び、「ＣＲ読影」の権限を持つ医師Ｄが、レポート作成端末１０ｂを用いる場合には、異なる権限の検査が混在して表示される。
【００９５】
そこで、入力部を用いてＣＴ読影メニューを選択することにより、図１８の（Ｂ）に示すように、ＣＴ読影に関する検査のみを表示することができる。このように、複数の権限を持つ実施者が実施を行う場合において、所望の権限に対するメニューを選択することにより、所望の権限に関する検査のみを表示することが可能となる。
【００９６】
同様に、「ＣＲ内科撮影」、「ＣＲ小児科撮影」、「ＣＲ脳外科撮影」の権限をもつ実施者が、「ＣＲ内科撮影」、「ＣＲ小児科撮影」、「ＣＲ脳外科撮影」の機能を有する医用画像撮影装置を用いる場合は、「ＣＲ内科撮影」、「ＣＲ小児科撮影」、「ＣＲ脳外科撮影」のメニューが表示され、それらの内の１つを選択することが可能である。
【００９７】
また、各実施者の複数の権限において、実施する優先順位を設けても良い。例えば、医師Ｄが実施する業務の優先順位を「ＣＴ読影」よりも「ＣＲ読影」の方を高くし、さらに、「ＣＲ読影」よりも「ＭＲ読影」の方を高くした場合には、ワークリストの一覧は、図１８の（Ａ）に示す順ではなく、図１９に示す順になる。このような各実施者の権限における優先順位は、実施者情報ＤＢ３２ｄに登録される。
【００９８】
一般に、オペレータが、このようなワークリストから検査を選択して業務が行われるが、優先順位が高い検査から業務を実施するようにしても良い。
【００９９】
次に、実施した業務の検査結果や検査内容等に基づいて、次の業務を決定する方法について説明する。
図２０は、次の業務を決定する方法を説明するためのフローチャートである。まず、ステップＳ１１１において、オペレータが、実施した業務の検査結果を判定し、業務を再実施する必要があるか否かを決定する。検査結果が不良（ＮＧ）である場合には、Ｓ１１２に移行して、実施した業務と同一の業務を再び次の業務として設定して終了する。一方、検査結果が良好（ＯＫ）である場合には、ステップＳ１１３に移行する。
【０１００】
ステップＳ１１３において、業務を実施した実施者の権限に基づいて、確認業務が必要であるか否かを判定する。確認業務を実施する必要がある場合には、ステップＳ１１４に移行して、確認業務を次の業務として設定する。一方、確認業務を実施する必要がない場合には、ステップＳ１１５に移行する。
【０１０１】
例えば、実施した業務が乳房単純Ｘ線撮影であり、且つ、オペレータが技師Ｆの場合には、技師Ｆが乳房単純Ｘ線を承認する権限を有しておらず、確認業務を実施する必要があるので、ステップＳ１１４に移行して、撮影確認業務が次の業務として設定される。また、実施した業務が胸部単純Ｘ線撮影であり、且つ、オペレータが技師Ｆの場合には、技師Ｆが胸部単純Ｘ線を承認する権限を有しており、確認業務を実施する必要がないので、ステップＳ１１５に移行する。
【０１０２】
ステップＳ１１５において、次の業務を設定する。例えば、実施した業務が撮影業務である場合には、レポート作成業務が次の業務として設定される。また、実施した業務がレポート作成業務の場合には、診療業務が次の業務として設定される。
【０１０３】
ステップＳ１１６において、検査内容に基づいて、ステップＳ１１５において設定された業務を実施するか否かを判定する。実施する場合には、ステップＳ１１７に移行する。一方、実施しない場合には、ステップＳ１１５及びステップＳ１１６を繰り返す。
【０１０４】
例えば、検査種類が単純Ｘ線であり、且つ、依頼科が脳外科の場合には、レポート作成業務を実施する必要があるので、ステップＳ１１７に移行する。また、検査種類が単純Ｘ線であり、且つ、依頼科が内科の場合には、レポート作成業務を実施する必要がないので、ステップＳ１１５及びＳ１１６を繰り返す。
【０１０５】
ステップＳ１１７において、業務を実施した装置情報に基づいて、ステップＳ１１４又はＳ１１５において取得された業務を実施するか否かを判定する。実施する場合には、ステップＳ１１８に移行して、その業務を次の業務として設定する。一方、実施しない場合には、ステップＳ１１５〜Ｓ１１７を繰り返す。
【０１０６】
例えば、ステップＳ１１４において、撮影確認業務が次の業務として仮設定されており、且つ、撮影確認業務を実施する必要がある装置を用いて撮影業務が実施されている場合には、ステップＳ１１８に移行して、撮影確認業務が次の業務として決定されて終了する。また、撮影確認業務を実施する必要がない装置を用いて撮影業務が実施されている場合には、撮影確認業務を実施する必要がないので、ステップＳ１１５〜Ｓ１１７を繰り返す。このようにして、次の業務が決定される。
【０１０７】
次に、第２の実施形態に係る医用画像作成業務管理装置及び医用画像作成業務実施装置を含む医用画像撮影システムについて説明する。
図２１は、本発明の第２の実施形態に係る医用画像作成業務管理装置及び医用画像作成業務実施装置を含む医用画像撮影システムの構成を示すブロック図である。
【０１０８】
図２１に示すように、この医用画像撮影システムにおいては、図１に示す医用画像作成業務管理装置３の替わりに医用画像作成業務管理装置３０が設置され、医用画像撮影装置５ａ〜５ｄの替わりに医用画像撮影装置５０ａ〜５０ｄがネットワークＮ１に接続される。また、医用画像読取装置６の替わりに医用画像読取装置６０がネットワークＮ１に接続され、医用画像処理装置７の替わりに医用画像処理装置７０がネットワークＮ１に接続される。
【０１０９】
さらに、画像確認端末９ａ〜９ｄの替わりに画像確認端末９０ａ〜９０ｄがネットワークＮ１に接続され、レポート作成端末１０ａ及び１０ｂの替わりにレポート作成端末１１０ａ及び１１０ｂがネットワークＮ１に接続され、レポート確認端末１２ａ及び１２ｂの替わりにレポート確認端末１２０ａ及び１２０ｂがネットワークＮ１に接続される。その他の構成については、図１に示すものと同様である。
【０１１０】
図２２は、図２１に示す医用画像作成業務管理装置の詳細な構成を示すブロック図である。図２２に示すように、医用画像作成業務管理装置３０のＣＰＵ３１は、機能ブロックとして、ワークリスト作成部３１ｂの替わりに検査依頼情報送信部３１ｃを含んでいる。その他の構成については、図２に示すものと同様である。
【０１１１】
検査依頼情報送信部３１ｃは、各種の装置５０ａ〜７０、及び、端末９０ａ〜１２０ｂのいずれかから送信される検査依頼情報要求信号に基づいて、ＤＩＣＯＭ  ＭＷＭプロトコルを用いることにより、検査依頼情報要求信号を送信した装置に、各種のＤＢ３２ａ〜３２ｆに記録されている情報を送信する。
【０１１２】
図２３は、図２１に示す医用画像撮影装置、医用画像読取装置、医用画像処理装置、及び、画像サーバの詳細な構成を示すブロック図である。図２３に示すように、医用画像撮影装置５０ａの撮影制御部５４は、ワークリスト作成部５７を含んでいる。
【０１１３】
ワークリスト作成部５７は、ネットワークＮ１を介して、医用画像作成業務管理装置３０に検査依頼情報要求信号を送信し、ネットワークＮ１を介して受信する各種のＤＢ３２ａ〜３２ｆに記録されている情報に基づいてワークリストを作成する。ワークリストの作成方法等については、第１の実施形態において説明したものと同様である。
【０１１４】
医用画像撮影装置５０ａにおける撮影業務は、ワークリスト作成部５７において作成するワークリストに基づいて実施される。その他の動作については、図６を参照しながら説明したものと同様であり、医用画像撮影装置５０ａの撮影制御部５４が、選択された検査に関する放射線撮影を実施したことを表す検査結果情報を含む業務完了通知信号を、医用画像作成業務管理装置３０に送信する。
【０１１５】
なお、図２３に示す医用画像撮影装置５０ａと同様に、医用画像撮影装置５０ｂ〜５０ｄも、ワークリスト作成部を含んでいる。また、医用画像読取装置６０の制御部６６は、ワークリスト作成部５７と同一の機能を有するワークリスト作成部６７を含んでおり、医用画像処理装置７０の処理部７３は、ワークリスト作成部５７と同一の機能を有するワークリスト作成部７５を含んでいる。同様に、端末９０ａ〜１２０ｂにおける制御部に対応する機能ブロックも、ワークリスト作成部を含んでいる。
【０１１６】
【発明の効果】
以上説明したように、本発明によれば、患者情報や検査情報を含む検査依頼情報に基づいて、ワークフローを統一的に管理し、また、ワークフローの管理に用いられるワークリストを簡単に作成できるので、医用画像作成業務の効率化を図ることが可能となる。
【図面の簡単な説明】
【図１】本発明の第１の実施形態に係る医用画像作成業務管理装置及び医用画像作成業務実施装置を含む医用画像撮影システムの構成を示すブロック図である。
【図２】図１に示す医用画像作成業務管理装置の詳細な構成を示すブロック図である。
【図３】図１に示す医用画像撮影装置、医用画像読取装置、医用画像処理装置、及び、画像サーバの詳細な構成を示すブロック図である。
【図４】１つの検査における業務の流れを表すフローチャートである。
【図５】受付登録業務における、受付端末及び医用画像作成業務管理装置の動作を示すフローチャートである。
【図６】放射線撮影業務における医用画像撮影システム及び医用画像作成業務管理装置の動作を示すフローチャートである。
【図７】表示部に表示されるワークリストを示す図である。
【図８】画像確認業務における画像確認端末及び医用画像作成業務管理装置の動作を示すフローチャートである。
【図９】レポート作成業務におけるレポート作成端末及び医用画像作成業務管理装置の動作を示すフローチャートである。
【図１０】レポート確認業務におけるレポート確認端末及び医用画像作成業務管理装置の動作を示すフローチャートである。
【図１１】検査依頼情報ＤＢに登録される情報を示す図である。
【図１２】検査結果情報ＤＢに登録される情報を示す図である。
【図１３】検査進行状況情報ＤＢに登録される情報を示す図である。
【図１４】実施者情報ＤＢに登録される情報を示す図である。
【図１５】装置情報ＤＢに登録される情報を示す図である。
【図１６】図２に示すワークリスト作成部の動作を示すフローチャートである。
【図１７】項目ごとに設定された優先レベルの一例を示す図である。
【図１８】ワークリストフィルタ機能を説明するための図である。
【図１９】表示部に表示されるワークリストを示す図である。
【図２０】次の業務を決定する方法を説明するためのフローチャートである。
【図２１】本発明の第２の実施形態に係る医用画像作成業務管理装置及び医用画像作成業務実施装置を含む医用画像撮影システムの構成を示すブロック図である。
【図２２】図２１に示す医用画像作成業務管理装置の詳細な構成を示すブロック図である。
【図２３】図２１に示す医用画像撮影装置、医用画像読取装置、医用画像処理装置、及び、画像サーバの詳細な構成を示すブロック図である。
【符号の説明】
１  ＨＩＳ
２、４  受付端末
３、３０  医用画像作成業務管理装置
５ａ〜５ｄ、５０ａ〜５０ｄ  医用画像撮影装置
６、６０  医用画像読取装置
７、７０  医用画像処理装置
８  画像サーバ
９ａ〜９ｄ、９０ａ〜９０ｄ  画像確認端末
１０ａ、１０ｂ、１１０ａ、１１０ｂ  レポート作成端末
１１  レポートサーバ
１２ａ、１２ｂ、１２０ａ、１２０ｂ  レポート確認端末
１３  電子カルテＤＢ
１４  診療科端末
３１  中央演算装置（ＣＰＵ）
３１ａ、５７、６７、７５  ワークリスト作成部
３１ｂ  データベース管理部
３１ｃ  検査依頼情報送信部
３２  ハードディスク
３２ａ  検査依頼情報ＤＢ
３２ｂ  検査結果情報ＤＢ
３２ｃ  検査進行状況情報ＤＢ
３２ｄ  実施者情報ＤＢ
３２ｅ  装置情報ＤＢ
３２ｆ  業務フロー情報ＤＢ
３３  ハードディスク制御部
３４  ネットワークインタフェース
５１  撮影位置昇降機構
５２  撮影台
５３  放射線発生部
５４  撮影制御部
５５  表示部
５６  入力部
６１  レーザ光源
６２  光走査部
６３  フォトマルチプライヤ（光電子増倍管）
６４  増幅器
６５  Ａ／Ｄ変換器
６６  制御部
７１  入力部
７２  表示部
７３  処理部
７４  ネットワークインタフェース
１００  記録シート（輝尽性蛍光体シート）
【図１】
2005070817.tif 000003
【図２】
2005070817.tif 000004
【図３】
2005070817.tif 000005
【図４】
2005070817.tif 000006
【図５】
2005070817.tif 000007
【図６】
2005070817.tif 000008
【図７】
2005070817.tif 000009
【図８】
2005070817.tif 000010
【図９】
2005070817.tif 000011
【図１０】
2005070817.tif 000012
【図１１】
2005070817.tif 000013
【図１２】
2005070817.tif 000014
【図１３】
2005070817.tif 000015
【図１４】
2005070817.tif 000016
【図１５】
2005070817.tif 000017
【図１６】
2005070817.tif 000018
【図１７】
2005070817.tif 000019
【図１８】
2005070817.tif 000020
【図１９】
2005070817.tif 000021
【図２０】
2005070817.tif 000022
【図２１】
2005070817.tif 000023
【図２２】
2005070817.tif 000024
【図２３】
2005070817.tif 000025